(57)【特許請求の範囲】
【請求項１】
座フレームと、該座フレームに回転可能に連結して起倒可能な背フレームと、該背フレームに対し起倒可能なヘッドフレームと、水平面に対する前記背フレームの傾斜角度に応じて、該背フレームの上下軸方向に対する位置が変化するスライドフレームと、座フレームに設けた座クッション材と、前記スライドフレームに設けた背クッション材を有し、
該背クッション材は、前記背フレームを後方へ倒すほど、該背フレームに対して座クッション材方向に移動し、前記背フレームを起すほど、該背フレームに対して前記座クッション材と反対側方向に移動するようにし、
前記背フレームとスライドフレームとの上下軸方向における相対位置が変化することにより、前記ヘッドフレームの、前記背フレームの上下方向の軸に対する角度が変化するようにし、
前記背フレームを、その起立状態から後方に倒すほど、前記ヘッドフレームが前記背フレームに対して起上がり、前記ヘッドフレームの、前記背フレームの上下方向の軸に対する角度が所定の角度となった後に、更に、背フレームを後方へ倒すほど、前記ヘッドフレームが前記背フレームに対して倒れ、
前記背フレームを、その倒伏状態から起こすほど、前記ヘッドフレームが前記背フレームに対して起上がり、前記ヘッドフレームの、前記背フレームの上下方向の軸に対する角度が所定の角度となった後に、更に、前記背フレームを起こすほど、前記ヘッドフレームが前記背フレームに対して倒れるようにしたことを特徴とする椅子。
【請求項２】
案内溝と、該案内溝内を移動可能に設けた案内部材を有し、
水平面に対する前記背フレームの傾斜角度に応じて、前記案内部材の前記案内溝内における位置が変化し、
前記案内部材の前記案内溝内における位置が変化することにより、前記ヘッドフレームの、前記背フレームの上下方向の軸に対する角度が変化するようにしたことを特徴とする請求項１記載の椅子。
【請求項３】
前記案内溝を、ヘッドフレームに設けたことを特徴とする請求項２記載の椅子。
【発明の詳細な説明】
【技術分野】
【０００１】
本発明は椅子に関するものである。
【背景技術】
【０００２】
従来、椅子の後部に固定した支軸により椅子の前後方向に回転可能に設けた背もたれと、該背もたれの上部に、前後方向に回転可能に設けたヘッドレストを備えた椅子において、背もたれを後方へ倒すほど、背もたれに対してヘッドレストが徐々に起上るものが知られている（特許文献１参照）。
【先行技術文献】
【特許文献】
【０００３】
【特許文献１】特許第３６１８４４３号
【発明の概要】
【発明が解決しようとする課題】
【０００４】
前記従来の椅子においては、着座者が、椅子の背もたれを、その起立状態から後方へ少し倒して寛いでテレビ等を視る場合には、椅子の背もたれが倒れるほど、椅子のヘッドレストが背もたれに対して徐々に起上がるため、椅子の背もたれが少し倒れた状態でも、着座者は、前方を視認し、例えばテレビ等が視易くなる。
【０００５】
しかし、着座者が、椅子の背もたれを、更に大きく倒して寝姿勢とした場合等にも、椅子のヘッドレストが、背もたれに対して、更に起上がって所定以上起きると、着座者の首への負担が大きくなる。また、着座者が寝姿勢をとる場合には、椅子のヘッドレストが背もたれに対して起上がらない方がよい。そのため、椅子のヘッドレストを手動で、背もたれに対して倒すものにおいては、その手動操作が面倒であるという問題がある。
【０００６】
そこで、本発明は、背もたれを、起立状態から少し倒して視線を前方に保持したい場合には、背もたれの倒れ動作に連動して椅子のヘッドレストが背もたれに対して起上がり、着座者の視線を前方にすることができ、また、背もたれを大きく倒して寝姿勢をとりたい
場合には、背もたれの倒れ動作に連動して、椅子のヘッドレストが背もたれに対して倒れる椅子を提供することを目的とするものである。
【課題を解決するための手段】
【０００７】
前記課題を解決するために、請求項１記載の発明は、座フレームと、該座フレームに回転可能に連結して起倒可能な背フレームと、該背フレームに対し起倒可能なヘッドフレームと、水平面に対する前記背フレームの傾斜角度に応じて、該背フレームの上下軸方向に対する位置が変化するスライドフレームと、座フレームに設けた座クッション材と、前記スライドフレームに設けた背クッション材を有し、
該背クッション材は、前記背フレームを後方へ倒すほど、該背フレームに対して座クッション材方向に移動し、前記背フレームを起すほど、該背フレームに対して前記座クッション材と反対側方向に移動するようにし、
前記背フレームとスライドフレームとの上下軸方向における相対位置が変化することにより、前記ヘッドフレームの、前記背フレームの上下方向の軸に対する角度が変化するようにし、
前記背フレームを、その起立状態から後方に倒すほど、前記ヘッドフレームが前記背フレームに対して起上がり、前記ヘッドフレームの、前記背フレームの上下方向の軸に対する角度が所定の角度となった後に、更に、背フレームを後方へ倒すほど、前記ヘッドフレームが前記背フレームに対して倒れ、
前記背フレームを、その倒伏状態から起こすほど、前記ヘッドフレームが前記背フレームに対して起上がり、前記ヘッドフレームの、前記背フレームの上下方向の軸に対する角度が所定の角度となった後に、更に、前記背フレームを起こすほど、前記ヘッドフレームが前記背フレームに対して倒れるようにしたことを特徴とするものである。
【０００８】
請求項２記載の発明は、請求項１記載の発明において、案内溝と、該案内溝内を移動可能に設けた案内部材を有し、
水平面に対する前記背フレームの傾斜角度に応じて、前記案内部材の前記案内溝内における位置が変化し、
前記案内部材の前記案内溝内における位置が変化することにより、前記ヘッドフレームの、前記背フレームの上下方向の軸に対する角度が変化するようにしたことを特徴とするものである。
【００１１】
請求項３記載の発明は、請求項２記載の発明において、前記案内溝を、ヘッドフレームに設けたことを特徴とするものである。
【発明の効果】
【００１２】
本発明は、背フレームが、その起立状態からヘッドフレーム前面の、背フレームの上下方向の軸に対する角度が所定の角度となるまでの間は、背フレームを倒すほど、ヘッドフレームが背フレームに対して起上がり、背フレームを起すほど、ヘッドフレームが背フレームに対して倒れるようにしたことにより、着座者が、背フレーム（背もたれ）を、その起立状態から少し倒して、前方のテレビ等を視る場合には、ヘッドフレーム（ヘッドレスト）が、背フレームの起立時よりも背フレームに対して起上がることで、着座者の視線を前方に保持し易くなる。
【００１３】
また、背フレームが、その倒伏状態からヘッドフレーム前面の、背フレームの上下方向の軸に対する角度が所定の角度となるまでの間は、背フレームを倒すほど、ヘッドフレームが背フレームに対して倒れ、背フレームを起すほど、ヘッドフレームが背フレームに対して起き上がるようにしたことにより、背フレーム（背もたれ）を大きく倒して寝姿勢等をとる場合には、着座者の首が疲れることなく、楽な姿勢をとることができる。
【００１４】
また、本発明の椅子は、前記従来技術のように、手動でヘッドフレームを倒す必要がなく、背フレームの起倒動作に連動して、ヘッドフレームが背フレームに対して、前記のように起倒するため、ヘッドレストの角度を気にすることのない、操作が容易な椅子である。
【図面の簡単な説明】
【００１５】
【図１】本発明の実施例１における椅子の背もたれを起立した状態を示す斜視図で、説明上、フレーム部分を示し、クッション材や表皮材は省略している。
【図２】図１の右側面図。
【図３】図１の正面図。
【図４】図１の上面図。
【図５】図４のＥ−Ｅ線断側面図。
【図６】図５の状態から背フレームを倒した状態の側断面図。
【図７】図６の状態から、更に背フレームを倒した状態の側断面図。
【図８】図５のＦ−Ｆ線断面図。
【図９】本発明の実施例１において、椅子の背もたれと座の関係を示すもので、図５の状態の側面略図。
【図１０】図９の状態から背もたれを倒した図６の状態の側面略図。
【図１１】図１０の状態から、更に背もたれを倒した図７の状態の側面略図。
【図１２】本発明の実施例２における椅子の背もたれを起立した状態を示す側面図で、説明上、フレーム部分を示し、クッション材や表皮材は省略している。
【図１３】図１２の状態から背もたれを倒した状態の側面図。
【図１４】図１３の状態から、更に背もたれを倒した状態の側面図。
【図１５】本発明の実施例３における椅子の背もたれを起立した状態を示す側面図で、説明上、フレーム部分を示し、クッション材や表皮材は省略している。
【図１６】図１５の状態から背もたれを倒した状態の側面図。
【図１７】図１６の状態から、更に背もたれを倒した状態の側面図。
【図１８】本発明の実施例４における椅子の背もたれを起立した状態を示す側面図で、説明上、フレーム部分を示し、クッション材や表皮材は省略している。
【図１９】図１８の状態から背もたれを倒した状態の側面図。
【図２０】図１９の状態から、更に背もたれを倒した状態の側面図。
【図２１】本発明の実施例５における椅子の背もたれを起立した状態を示す側面図で、説明上、フレーム部分を示し、クッション材や表皮材は省略している。
【図２２】図２１の状態から背もたれを倒した状態の側面図。
【図２３】図２２の状態から、更に背もたれを倒した状態の側面図。
【図２４】本発明の実施例６における椅子の背もたれを起立した状態を示す側面図で、説明上、フレーム部分を示し、クッション材や表皮材は省略している。
【図２５】図２４の状態から背もたれを倒した状態の側面図。
【図２６】図２５の状態から、更に背もたれを倒した状態の側面図。
【図２７】本発明の実施例９における椅子の背もたれを起立した状態を示す側面図で、説明上、フレーム部分を示し、クッション材や表皮材は省略している。
【図２８】図２７の状態から背もたれを倒した状態の側面図。
【図２９】図２８の状態から、更に背もたれを倒した状態の側面図。
【発明を実施するための形態】
【００１６】
本発明を実施するための形態を図に示す実施例に基づいて説明する。
【実施例１】
【００１７】
図１乃至図１１は、実施例１を示す。
【００１８】
本発明の実施例１の椅子１は、図１〜４に示すように、台座２を有する。該台座２上には、その上下方向（垂直方向）を回転軸として、該台座２に対して回転可能に回転台３が備えられている。該回転台３には椅子フレーム４が固設されている。以下において、椅子１の着席側、すなわち、図５における背フレーム８（背もたれ２８）と反対側を前Ａとし、背フレーム８側を後Ｂとし、図３における左側を左Ｃ、右側を右Ｄとして説明する。
【００１９】
前記椅子フレーム４は、図１〜４に示すように、両側枠４ａ，４ｂと、該両側枠４ａ，４ｂの下端間に架設した下枠４ｃを有し、両側枠４ａ，４ｂと下枠４ｃは一体に形成されている。前記下枠４ｃの下部中央には、前記回転台３が固設され、該回転台３は、図２に示すように、前方Ａから後方Ｂに向うほど、下方に傾斜するように形成されている。該回転台３の後部には、上下方向（垂直方向）に立設する円筒状の基部３ａが設けられている。該基部３ａは、前記台座２に対して回転可能に連結されている。
【００２０】
両側枠４ａ，４ｂの上端部には、肘部を構成する部材、本実施例においては板状の肘フレーム５，５が、椅子１の前後（Ａ−Ｂ）方向に固設されている。
【００２１】
前記両側枠４ａ，４ｂの上部後方には、図５〜７に示すように、その内面から内側方向に水平（Ｃ−Ｄ方向）に突出する支軸７，７が固設されている。該支軸７には、この支軸７を中心軸として、背フレーム８が前後に回転可能に備えられている。
【００２２】
この背フレーム８は、図１，３に示すように、左右に一対の側枠（以下、背の側枠という）８ａ，８ｂを有し、本実施例１においては、該背の側枠８ａ，８ｂを円筒で中空状の金属製のパイプで構成した。該両背の側枠８ａ，８ｂは、その軸方向が、椅子１の左右（Ｃ−Ｄ）方向に対して直交するように設けられている。また、前記各背の側枠８ａ，８ｂの軸方向中間部には、前記支軸７，７が挿通され、該支軸７，７を中心として、背の側枠８ａ，８ｂが、前後に回転可能に備えられている。前記両背の側枠８ａ，８ｂの上部間には、連結棒８ｃが架設されている。
【００２３】
前記両背の側枠８ａ，８ｂの下端部には、図１に示すように、座フレーム１０が前後（Ａ−Ｂ）方向に回転可能に連結されている。該座フレーム１０は、左右に一対の側枠（以下、座の側枠という）１０ａ，１０ｂを有し、本実施例１においては、該座の側枠１０ａ，１０ｂを円筒で中空状の金属製のパイプで構成した。この座の側枠１０ａ，１０ｂは、その軸方向が椅子１の前後（Ａ−Ｂ）方向に位置するように設けられている。前記両座の側枠１０ａ，１０ｂの前端部間には座前枠１０ｃが架設され、両座の側枠１０ａ，１０ｂの後端部間には座後枠１０ｄが架設されている。該座後枠１０ｄの両側部には、図１に示すように、座後枠１０ｄから後Ｂ方向に突出する連結片１０ｅ，１０ｅが設けられ、該夫々の連結片１０ｅ，１０ｅには、前記両背の側枠８ａ，８ｂの下端部が、左右（Ｃ−Ｄ）方向に水平に設けた連結軸１０ｆを中心に、前後に回転可能に連結されている。
【００２４】
前記椅子フレーム４の両側枠４ａ，４ｂの内面には、図１、５〜７に示すように、座案内部材１１，１１が設けられ、該座案内部材１１は、図５〜７に示すように、前Ａ方から後Ｂ方に向うほど緩やかに下降する湾曲状に形成されている。該座案内部材１１，１１には、該座案内部材１１，１１に沿って移動可能な案内受け部材１２，１２が備えられている。該案内受け部材１２，１２の内側には、前記両座の側枠１０ａ，１０ｂの軸方向中間部が、左右（Ｃ−Ｄ）方向に水平に設けた座軸１２ａで連結され、該座軸１２ａを中心として、座の側枠１０ａ，１０ｂが、前後に回転可能に備えられている。これにより、座フレーム１０は、座軸１２ａを中心に回転可能で、かつ、案内部材１１に沿って前後に移動することができるようになっている。
【００２５】
前記両背の側枠８ａ，８ｂの上端部には、夫々ヘッド案内部材１４，１４が設けられている。該各ヘッド案内部材１４，１４は、板状部材１４ａ，１４ａを有し、該板状部材１４ａ，１４ａの長手方向の一端部（下端部）が、両背の側枠８ａ，８ｂに固設され、前記板状部材１４ａ，１４ａの長手方向の他端部（上端部）には、ピン１４ｂ，１４ｂが設けられている。該ピン１４ｂは、図３，４に示すように、板状部材１４ａの外面から左右（Ｃ−Ｄ）方向の外側に突出するように設けられている。
【００２６】
前記両背の側枠８ａ，８ｂには、スライドフレーム１５が、背の側枠８ａ，８ｂの軸方向に沿って摺動可能に備えられている。前記スライドフレーム１５は、図１，５〜７に示すように、前記背フレーム８よりも前Ａ側に位置して配置されている。前記スライドフレーム１５は、図１，３に示すように、左右に１対のスライド側枠１５ａ，１５ｂと、連結部材２０を有している。前記スライド側枠１５ａ，１５ｂを、本実施例１においては、円筒で中空状の金属製のパイプで構成した。このスライド側枠１５ａ，１５ｂは、その軸方向が、前記背の側枠８ａ，８ｂと略平行に設けられている。
【００２７】
前記両スライド側枠１５ａ，１５ｂの上部の後側間には連結棒１７が架設され、両スライド側枠１５ａ，１５ｂの下部の後側間には連結棒１８が架設されている。また、右スライド側枠１５ａの上部と下部の後Ｂ側（背フレーム８側）には、図５〜７に示すように、連結部材２０，２０が固定部材２０ａにより固設されている。また、左スライド側枠１５ｂの上部と下部の後Ｂ側（背フレーム８側）にも、図５〜７に示すように、連結部材２０，２０が固定部材２０ａにより固設されている。該右側連結部材２０，２０は、右背の側枠８ａに対して、その軸方向、すなわち、背フレーム８の上下軸方向に摺動可能に遊嵌されている。また、左側連結部材２０，２０も、左背の側枠８ｂに対し、その軸方向に摺動可能に遊嵌され、スライドフレーム１５が、前記両背の側枠８ａ，８ｂの軸方向に沿って摺動可能に備えられている。すなわち、スライドフレーム１５が、背の側枠８ａ，８ｂの軸方向に沿って移動可能となっている。
【００２８】
前記連結部材２０としては、プラスチック、金属、木材等固体状で成形可能な材質であれば任意の材質を使用でき、本実施例においては、ポリアセタール（ＰＯＭ）を使用した。
【００２９】
前記連結部材２０の後Ｂ側には、図５〜８に示すように、背バックパネル２１が固設され、スライドフレーム１５と背バックパネル２１が一体として、背の側枠８ａ，８ｂの軸方向に沿って移動可能となっている。
【００３０】
前記背バックパネル２１は、背板２１ａと、該背板２１ａの両側に設けた両側板２１ｂ，２１ｂで構成されている。該右側板２１ｂは、右スライド側枠１５ａと椅子フレーム４の右側枠４ａとの間に、左側板２１ｂは、左スライド側枠１５ｂと椅子フレーム４の左側枠４ｂとの間に設けられている。前記両側板２１ｂ，２１ｂには、その表裏を貫通する長穴２１ｃが、その長手方向が、背の側枠８ａ，８ｂの軸方向となるように形成され、前記長穴２１ｃには、前記支軸７が貫通している。
【００３１】
前記両スライド側枠１５ａ，１５ｂの上端部には、図５〜７に示すように、ヘッドフレーム２２が設けられている。該ヘッドフレーム２２は、左右に一対のヘッドカム２２ａ，２２ａを有し、これらの下部に設けた左右（Ｃ−Ｄ）方向に水平のヘッド軸２２ｂ，２２ｂを、前記スライド側枠１５ａ，１５ｂの上端部に回転可能に連結し、ヘッドフレーム２２が前後に回動可能に備えられている。該ヘッドカム２２ａは、板状に形成され、その内側には、少なくともその内面に開口する案内溝２３が形成されている。該案内溝２３は、ヘッドカム２２ａの外側面まで貫通する貫通穴で形成してもよいし、ヘッドカム２２ａの外側面には開口しない有底溝で形成してもよい。前記ヘッドカム２２ａの後部には、ヘッドバックパネル２５が設けられている。
【００３２】
前記案内溝２３は、本実施例１においては、図５〜７に示すように、ヘッドカム２２ａの下部から上方に向うほど後Ｂ側に傾斜する第１案内溝２３ａと、該第１案内溝２３ａの上部に円弧状に形成された円弧溝２３ｂと、該円弧溝２３ｂの上部にヘッドカム２２ａの下方から上方に向うほど前Ａ側に傾斜する第２案内溝２３ｃとが連続する「く」字状に形成されている。
【００３３】
前記案内溝２３内には、前記背フレーム８のピン１４ｂが、案内溝２３に沿って移動可能に遊嵌している。
【００３４】
前記両スライド側枠１５ａ，１５ｂの下端部には、図１，５〜７に示すように、リンク２７の一端部（下端部）が、左右（Ｃ−Ｄ）方向に水平に設けた回転軸２７ａにより、これを中心として、前後に回転可能に連結されている。前記リンク２７の他端部（上端部）は、椅子フレーム４の両側枠４ａ，４ｂの上部後Ｂ側の内面に、左右（Ｃ−Ｄ）方向に水平に設けた回転軸２７ｂにより、これを中心として、前後に回転可能に連結されている。リンク２７は、その他端側回転軸２７ｂが、図５，９に示すように、背フレーム８が起立した状態において、一端側回転軸２７ａよりも前方Ａの上部に位置するように設けられている。
【００３５】
前記リンク２７は、板状に形成され、その側面形状は弧状に形成されるとともに、その弧の中心側が前側Ａに位置するように設けられている。なお、前記リンク２７の側面形状は、前記のような弧状以外にも、直線状等任意の形状とすることができる。
【００３６】
前記両スライド側枠１５ａ，１５ｂの間、及び、両ヘッドカム２２ａ，２２ａの間には、第１布バネ（図示せず）が設けられ、その両側が、付勢手段（図示せず）を介してスライド側枠１５ａ，１５ｂとヘッドカム２２ａ，２２ａに取り付けられている。該第１布バネの上端が、前記ヘッドカム２２ａ，２２ａの上端部間に設けられた連結棒（図示せず）に固定され、第１布バネの下端が、スライドフレーム１５の下連結棒１８に固定されている。前記第１布バネの両側は、前記付勢手段によりスライド側枠１５ａ（１５ｂ）方向に付勢されている。該付勢手段として、本実施例においては、バネを使用した。
【００３７】
前記スライド側枠１５ａ，１５ｂ間に設けた第１布バネの前面には、背ウレタン材が接着剤等により固設され、ヘッドカム２２ａ，２２ａ間に設けた第１布バネの前面には、ヘッドウレタン材が接着剤等により固設されている。
【００３８】
第１表皮材（図示せず）は、前記スライドフレーム１５と、背フレーム８と、第１布バネと、背ウレタン材と、ヘッドウレタン材と、背バックパネル２１と、ヘッドバックパネル２５の外周部全体を覆うようにして設けられている。該第１表皮材は、スライドフレーム１５、背フレーム８、第１布バネ、背ウレタン材、ヘッドウレタン材、背バックパネル２１、ヘッドバックパネル２５の何れかに固定しても良いし、何れにも固定しなくてもよい。
【００３９】
前記スライド側枠１５ａ，１５ｂ間に設けた第１布バネと、背ウレタン材とで、背クッション材が構成されているが、該背クッション材としては、布バネやウレタン材以外にも任意のクッション材を使用することができる。また、スライドフレーム１５と、背フレーム８と、背クッション材と、背バックパネル２１と、第１表皮材により、背もたれ２８が構成されている。
【００４０】
前記ヘッドカム２２ａ，２２ａ間に設けた第１布バネと、ヘッドウレタン材とで、ヘッドクッション材が構成さているが、該ヘッドクッション材としては、布バネやウレタン材以外にも任意のクッション材を使用することができる。また、ヘッドフレーム２２と、ヘッドクッション材と、ヘッドバックパネル２５と、第１表皮材により、ヘッドレスト３０が構成されている。
【００４１】
また、座フレーム１０には、第２布バネ（図示せず）が設けられ、その両側が、それぞれ座の側枠１０ａ，１０ｂに固定され、第２布バネの前端が座前枠１０ｃに固定されている。また、第２布バネの後端部は、座後枠１０ｄに付勢手段（図示せず）を介して固定されており、前記第２布バネの後端部は、前記付勢手段により座フレーム１０の後側方向に付勢されている。この付勢手段として、本実施例においてはバネを使用した。
【００４２】
前記第２布バネの上部には、座ウレタン材が接着剤等により固設されている。第２布バネと、座ウレタン材とで、座クッション材が構成されているが、座クッション材としては、布バネやウレタン以外にも任意のクッション材を使用することができる。
【００４３】
第２表皮材（図示せず）は、前記座フレーム１０と、座クッション材の外周部全体を覆うようにして設けられている。該第２表皮材は、座フレーム１０、第２布バネ、座ウレタンの何れかに固定しても良いし、何れにも固定しなくてもよい。前記座フレーム１０と、座クッション材と、第２表皮材により、座２９が構成されている。
【００４４】
次に、椅子１の動きについて説明する。
【００４５】
図５，９に示すように、椅子１の背フレーム８（背もたれ２８）を起立した状態から、背フレーム８を、支軸７を中心として徐々に後方Ｂに倒していくと、図６，１０に示すように、リンク２７は、椅子フレーム４側の回転軸２７ｂを中心として、そのスライドフレーム１５側が前方に回動するとともに、回転軸２７ａに連結されたスライドフレーム１５が、背の側枠８ａ，８ｂに沿って、下側方向（座２９方向）に移動する。これにより、スライドフレーム１５に設けた背クッション材と第１表皮材も、座２９方向に徐々に移動する。すなわち、背フレーム８に対するスライドフレーム１５の位置が、水平面に対する前記背フレーム８の上下軸方向（背の側枠８ａ，８ｂの軸方向）の傾斜角度βに応じて変化する。
【００４６】
また、座フレーム１０は、背フレーム８が徐々に倒れるに従い、背フレーム８の下端部により前方Ａへ押されて、座案内部材１１に沿って徐々に前部上方に移動する。
【００４７】
また、ヘッドフレーム２２は、スライドフレーム１５の上端に回動可能に連結されているので、図６，１０に示すように、ヘッドフレーム２２が、スライドフレーム１５と共に、下側（座２９方向）に移動する。この時、ヘッド案内部材１４が、ヘッドカム２２ａ（案内溝２３）に対して相対的に上方（座２９と反対側方向）に移動する。すなわち、ピン１４ｂが、下部から上部に向うほど後方Ｂに傾斜する第１案内溝２３ａ内を上方に向かって徐々に移動する。これにより、背の側枠８ａ，８ｂの軸（背フレーム８の上下方向の軸）と、ヘッドフレーム２２（ヘッドカム２２ａ）の前面との角度αが徐々に大きくなり、ヘッドレスト３０（ヘッドフレーム２２）が、背もたれ２８（背フレーム８）に対して、徐々に起上がる。
【００４８】
そして、ピン１４ｂが、円弧溝２３ｂの中央に位置した時に、ヘッドフレーム２２（ヘッドカム２２ａ）の前面の、背フレーム８の上下方向の軸（背の側枠８ａ，８ｂの軸）に対する角度αが、最大（所定値）となる。
【００４９】
図７，１１に示すように、更に、背フレーム８を徐々に倒していくと、リンク２７の回動により、スライドフレーム１５が更に下側（座２９）方向に移動するとともに、ピン１４ｂが、ヘッドカム２２ａにおける下部から上部に向うほど前方Ａに傾斜する第２案内溝２３ｃ内を上方に向かって徐々に移動する。これにより、背の側枠８ａ，８ｂの軸と、ヘッドカム２２ａの前面との角度αが徐々に小さくなり、ヘッドフレーム２２（ヘッドレスト３０）が、背フレーム８（背もたれ２８）に対して、徐々に後方へ倒れる。
【００５０】
また、上記の動きとは逆に、図７，１１に示すように、椅子１の背もたれ２８（背フレーム８）を倒した状態から、背フレーム８を徐々に起していくと、リンク２７の前記とは逆方向の回動により、スライドフレーム１５が、背の側枠８ａ，８ｂに沿って、上側方向（座２９と反対側方向）に移動する。これに伴い、ヘッドフレーム２２が、背フレーム８を起こすほど、背フレーム８に対して徐々に起上がり、ヘッドフレーム２２の前面の、背フレーム８の上下方向の軸に対する角度αが、所定値となった後に、更に、背フレーム８を起こすと、背フレーム８が起上がるほど、ヘッドフレーム２２が、背フレーム８に対して徐々に後方へ倒れ、図５，９に示す状態となる。
【００５１】
すなわち、背フレーム８が、図５に示すように起立した状態から、ヘッドフレーム２２の前面の、背フレーム８の上下方向の軸に対する角度αが最大値となるまでは、背フレーム８を倒すほど、ヘッドフレーム２２が背フレーム８に対して起上がり、背フレーム８を起すほど、ヘッドフレーム２２が背フレーム８に対して倒れる。
【００５２】
また、背フレーム８が、前記角度αが最大値となる状態から、図７に示す背フレーム８が倒伏した状態となるまでは、背フレーム８を倒すほど、ヘッドフレーム２２が背フレーム８に対して倒れ、背フレーム８を起すほど、ヘッドフレーム２２が背フレーム８に対して起き上がる。
【００５３】
以上の構成により、本発明の実施例１における椅子１は、次のような作用、効果を発揮する。
【００５４】
本発明は、背フレーム８（背もたれ２８）を倒すほど、スライドフレーム１５とスライドフレームに設けた背クッション材と背バックパネル２１と第１表皮材とが、共に座２９方向に移動し、背フレーム８（背もたれ２８）を起すほど、スライドフレーム１５と背クッション材と第１表皮材とが、共に座２９と反対側方向に移動するようにした。これにより、図９に示す背もたれ２８の起立状態と、図１１に示す背もたれ２８の倒伏状態との背もたれ２８の起倒動作において、図９〜１１に示すように、座２９の上面後部２９ａと背もたれ２８の前面下部２８ａとの距離の変化量は、背もたれ２８の起倒と連動して背クッション材が背フレーム８に対して移動しない椅子と比較して、極めて少ない。
【００５５】
これにより、使用者が、背もたれ２８を起した状態の椅子１に着座し、背もたれ２８にもたれた状態で、背もたれ２８を倒したり、起したりしても、背もたれ２８により着衣が上方に引き上げられたりして移動することを防止でき、背もたれ２８を起倒した場合にも、着衣を直したり、座り直したりする必要がなく、快適に椅子１を使用することができる。
【００５６】
また、背もたれ２８の起倒の際に、使用者と背もたれ２８の表皮とがこすれたりすることを低減でき、背もたれ２８の表皮の痛みを少なくすることができる。
【００５７】
また、背フレーム８を起立した状態から徐々に倒して、ヘッドフレーム２２の前面の、背フレーム８の上下方向の軸に対する角度αが所定値となるまでは、背フレーム８（背もたれ２８）を徐々に倒すほど、ヘッドフレーム２２（ヘッドレスト３０）が、背フレーム８（背もたれ２８）に対して、徐々に起上がるようにしたことにより、着座者が、椅子１の背もたれ２８を少し倒して、前方のテレビ等を視る場合には、図５，９に示した状態よりも、ヘッドレスト３０が背もたれ２８に対して起上がっていることで、着座者の視線を前方に保持し易くなる。
【００５８】
また、ヘッドフレーム２２の前面の、背フレーム８の上下方向の軸に対する角度αが所定値となった後は、背フレーム８（背もたれ２８）を倒すほど、ヘッドフレーム２２（ヘッドレスト３０）が、背フレーム８（背もたれ２８）に対して、徐々に倒れるようにしたことにより、着座者が、椅子１の背もたれ２８を大きく倒して寝姿勢等をとる場合には、着座者の首が疲れることなく、楽な姿勢をとることができる。
【００５９】
なお、リンク２７を、その他端側回転軸２７ｂが、図５，９に示すように、背フレーム８が起立した状態において、一端側回転軸２７ａよりも前方Ａの上部に位置するように設けたが、リンク２７により、背フレーム８を後方へ倒すほど、スライドフレーム１５が下側方向（座２９方向）に移動し、背フレーム８を前方へ起こすほど、スライドフレーム１５が上側方向（座２９と反対側方向）に移動できればよく、リンク２７の形状や、リンク２７と他部材との位置関係は任意に設定することができる。
【実施例２】
【００６０】
図１２乃至図１４は、実施例２を示す。
【００６１】
本実施例２は、前記実施例１と同様に、水平面に対する前記背フレーム８の上下方向の軸（背の側枠８ａ，８ｂの軸）の傾斜角度βに応じて、スライドフレーム１５を、背の側枠８ａ，８ｂの軸方向に移動させるものにおいて、前記背フレーム８の傾斜角度βに応じて、ヘッドフレーム２２の前面の、前記背の側枠８ａ，８ｂの軸に対する角度αを変化させる方法が、前記実施例１とは異なる実施例である。
【００６２】
本実施例２においては、ヘッドフレーム３５を、図１２〜１４に示すように、スライド側枠１５ａ，１５ｂの上端部に、左右（Ｃ−Ｄ）方向に水平に設けたヘッド軸３５ｃを中心に、前後に回転可能に設ける。前記ヘッドフレーム３５の後Ｂ側面は、図１２〜１４に示すように、その下端部から中央部までを、上方に向うほど後Ｂ側に傾斜する第１テーパ面３５ａとし、該第１テーパ面３５ａの上端からヘッドフレーム３５の上端部までを、上方に向うほど前Ａ側に傾斜する第２テーパ面３５ｂとして形成されている。
【００６３】
背フレーム８は、左右に１対の背の側枠８ａ，８ａを有し、図１２に示すように、背フレーム８が起立した状態において、前記背の側枠８ａ，８ａの上端が、前記第１テーパ面３５ａの下部後部に位置する構造の点で、前記実施例１の背フレーム８とは異なるが、その他の構造は前記実施例１の背フレーム８と同様である。
【００６４】
前記ヘッドフレーム３５の中心部には、連結リンク３７の一端（上端）が、左右（Ｃ−Ｄ）方向に水平に設けた回転軸３７ａを中心に、前後に回転可能に連結され、連結リンク３７の他端（下端）が、前記背の側枠８ａ，８ａの上端に、左右（Ｃ−Ｄ）方向に水平に設けた回転軸３７ｂを中心に、前後に回転可能に連結されている。前記連結リンク３７は、図１２に示すように、背フレーム８が起立した状態において、一端側回転軸３７ａが、他端側回転軸３７ｂよりも前方で、かつ、上方に位置して設けられている。
【００６５】
その他の構造、構成は、前記実施例１と同様であるので、その説明を省略する。
【００６６】
次に、本第２実施例の椅子１の動きについて説明する。
【００６７】
前記実施例１と同様に、背フレーム８を、図１２に示すように起立した状態から、支軸７を中心として、徐々に後方へ倒していくと、リンク２７により、図１３，１４に示すように、スライドフレーム１５が、背の側枠８ａ，８ａに沿って下側（座２９）方向へ移動する。また、背フレーム８を、図１４に示すように倒伏した状態から徐々に起していくと、スライドフレーム１５が、背の側枠８ａ，８に沿って上側（座２９方向と反対側）方向へ移動する。
【００６８】
また、背フレーム８を、図１２に示す起立状態から徐々に倒して、図１３に示すように、スライドフレーム１５を背フレーム８に対して下側（座２９）方向に徐々に移動させると、連結リンク３７は、回転軸３７ｂを中心として、その上端側が前Ａ方に回動する。これにより、連結リンク３７の回転軸３７ａに連結されたヘッドフレーム３５が、ヘッド軸３５ｃを中心として、その上部が前Ａ方に回動する。この連結リンク３７が、回転軸３７ｂを中心として回動することにより、ヘッドフレーム３５の回転軸３７ａから、背の側枠８ａの軸に下ろした垂線の距離Ｌ１が徐々に大きくなる。
【００６９】
したがって、背フレーム８が、図１２に示すように起立した状態から徐々に後方へ倒すと、ヘッドフレーム３５が背フレーム８に対して徐々に起上がる。すなわち、ヘッドフレーム３５の前面の、背フレーム８の上下方向の軸に対する角度αが徐々に大きくなる。
【００７０】
そして、背フレーム８を所定の位置まで倒すと、連結リンク３７の回転軸３７ａから、背の側枠８ａの軸に下ろした垂線の距離Ｌ１が最大となり、前記角度αも最大（所定値）となる。
【００７１】
その後、更に、背フレーム８を後方へ倒すと、スライドフレーム１５が、背フレーム８に対して下側（座２９）方向へ更に移動し、連結リンク３７が更に回転軸３７ｂを中心として下方へ回動して、前記距離Ｌ１が徐々に小さくなり、前記角度αも徐々に小さくなる。これにより、ヘッドフレーム３５が背フレーム８に対して後方へ徐々に倒れて図１４に示す状態となる。
【００７２】
また、上記の動きとは反対に、背フレーム８を、図１４に示すように倒伏した状態から徐々に起していくと、背フレーム８が起上がるほど、ヘッドフレーム３５は背フレーム８に対して徐々に起上がり、前記角度αが最大（所定値）となった後に、更に、背フレーム８を起すと、背フレーム８が起上がるほど、ヘッドフレーム３５は、背フレーム８に対して徐々に後方へ倒れて図１２に示す状態となる。
【００７３】
このように、本実施例２においても、前記実施例１と同様に、背フレーム８とスライドフレーム１５との上下軸方向における相対位置が変化することにより、ヘッドフレーム３５の前面の、背フレーム８の上下方向の軸（背の側枠８ａの軸）に対する角度αが変化する。
【００７４】
本実施例２においても、前記実施例１と同様の作用、効果を発揮することができる。
【実施例３】
【００７５】
図１５乃至図１７は、実施例３を示す。
【００７６】
本実施例３は、前記実施例１，２と同様に、水平面に対する前記背フレーム８の上下方向の軸の傾斜角度βに応じて、スライドフレーム１５を、背の側枠８ａ，８ｂの軸方向に移動させるものにおいて、前記背フレームの８の傾斜角度βに応じて、ヘッドフレーム４５前面の、前記背の側枠８ａ，８ｂの軸に対する角度αを変化させる方法が前記実施例１，２とは異なる実施例である。
【００７７】
本実施例３において、スライド側枠１５ａの上端に固設された固定ヘッド部材４２は、板状に形成され、固定ヘッド部材４２には、その表裏を貫通する屈曲案内溝４３が形成されている。該屈曲案内溝４３は、少なくとも固定ヘッド部材４２の外側が開口するように形成されていればよく、屈曲案内溝４３は、その表裏を貫通する貫通穴で形成してもよいし、固定ヘッド部材４２の内側には開口しない有底溝で形成してもよい。この屈曲案内溝４３は、図１５〜１７に示すように、固定ヘッド部材４２の下部から上部に向うほど前Ａ側に傾斜する第１案内溝４３ａと、該第１案内溝４３ａの上部に固定ヘッド部材４２の下側から上側に向うほど後Ｂ側に傾斜する第２案内溝４３ｂとが連続する「く」字状に屈曲して形成されている。
【００７８】
ヘッドフレーム４５は、左右に一対のヘッドカム４５ａ，４５ａを有し、該各ヘッドカム４５ａは、前記各固定ヘッド部材４２の下部外側に、左右（Ｃ−Ｄ）方向に水平に設けたヘッド軸４５ｄを中心に、前後に回転可能に設けられている。各ヘッドカム４５ａの内側面には、長穴状案内溝４５ｂが、その長手方向の一端（下端）が、ヘッドカム４５ａの下部に、他端（上端）がヘッドカム４５ａの中央上部寄りに設けられ、下方から上部に向うほど後Ｂ方に向う直線状に形成されている。
【００７９】
また、図１５に示すような背フレーム８が起立した状態において、前記長穴状案内溝４５ｂは、その長手方向が、前記背の側枠８ａ，８ｂの軸方向に対して、長穴状案内溝４５ｂの上端程前方に位置するように傾斜して設けられている。
【００８０】
図１５〜１７に示すように、前記長穴状案内溝４５ｂと、屈曲案内溝４３内の双方に貫通して、案内部材４６が遊嵌され、該案内部材４６は、長穴状案内溝４５ｂと屈曲案内溝４３内を移動可能に設けられている。前記案内部材４６の案内溝４５ｂ，４３との係止部を、本実施例においてはピン形状に形成した。
【００８１】
この長穴状案内溝４５ｂと屈曲案内溝４３の形状が前記のように相違するため、案内部材４６が、屈曲案内溝４３と長穴状案内溝４５ｂ内を上下方向に移動して、前記案内部材４６の位置が変化することにより、ヘッドフレーム４５の前面の、前記背の側枠８ａ，８ｂの軸に対する角度αが変化する。また、案内部材４６が、第２案内溝４３ｂと長穴状案内溝４５ｂ内を、その最上端の位置から徐々に下方に移動するほど、ヘッドフレーム４５が背フレーム８に対して徐々に起上がり、すなわちヘッドフレーム４５の前面の、背フレーム８の上下方向の軸に対する角度αが徐々に大きくなる。また、この角度αが最大（所定値）に達した後は、案内部材４６が、第１案内溝４３ａと長穴状案内溝４５ｂ内を、徐々に下方に移動するほど、ヘッドフレーム４５が背フレーム８に対して徐々に倒れ、すなわち、前記角度αが徐々に小さくなるようになっている。
【００８２】
前記各ヘッドカム４５ａの上部には、その内側面から内側方向に突出するピン４５ｃが設けられている。該ピン４５ｃは、図１５〜１７に示すように、前記長穴状案内溝４５ｂよりもヘッドカム４５の前面側で、かつ、座２９と反対側に位置している。
【００８３】
ひも状で任意の場所で湾曲可能な金属製ワイヤ、ビニールロープ等で形成され、かつ、案内部材４６を移動させる第１移動部材４８が、図１５〜１７に示すように、その一端を支軸７に対して固定し、その中間部を、リンク２７のスライドフレーム１５側回転軸２７ａの外側に摺動可能に引掛けて折り返し、他端を案内部材４６に固定した状態で、支軸７と案内部材４６間に弛まないように設けられている。本実施例においては、第１移動部材４８として、金属製のワイヤを使用した。
【００８４】
また、ひも状で任意の場所で湾曲可能な金属製ワイヤ、ビニールロープ等で形成され、かつ、案内部材４６を移動させる第２移動部材４９が、図１５〜１７に示すように、その一端を支軸７に対して固定し、その中間部を、ヘッドカム４５ａのピン４５ｃの外側に摺動可能に引掛けて折り返し、他端を案内部材４６に対して固定した状態で、支軸７と案内部材４６間に弛まないように設けられている。本実施例においては、第２移動部材４９として、金属製のワイヤを使用した。
【００８５】
その他の構造、構成は、前記実施例１と同様であるので、その説明を省略する。
【００８６】
次に、本第３実施例の椅子１の動きについて説明する。
【００８７】
前記実施例１，２と同様に、背フレーム８を、図１５に示すように起立した状態から後方に徐々に倒していくと、スライドフレーム１５が、背の側枠８ａ，８ｂに沿って座２９（下側）方向へ移動する。また、背フレーム８を、図１７に示すように倒伏した状態から徐々に起していくと、スライドフレーム１５が、背の側枠８ａ，８ｂに沿って座２９と反対側（上側）方向へ移動する。
【００８８】
前記のように、背フレーム８を、図１５に示すように起立した状態から徐々に後方に倒すに従い、スライドフレーム１５が、背フレーム８に対して下側（座２９）方向に徐々に移動すると、図１６に示すように、スライド側枠１５ａの回転軸２７ａと支軸７間の距離が徐々に広がり、第１移動部材４８が下側（座２９）方向に引っ張られ、案内部材４６が、第２案内溝４３ｂと長穴状案内溝４５ｂ内を下側方向に徐々に移動する。それと同時に、スライドフレーム１５とともにヘッドフレーム４５も下側方向へ移動し、第２移動部材４９における支軸７とピン４５ｃ間の距離が短くなることで、案内部材４６が、案内溝４３ｂ，４５ｂ内を、下側方向へ移動できる。
【００８９】
前記案内部材４６の移動に伴い、ヘッドフレーム４５が背フレーム８に対して徐々に起上がり、すなわち、ヘッドフレーム４５前面の、前記背の側枠８ａ，８ｂの軸に対する角度αが徐々に大きくなっていく。そして、案内部材４６が、第２案内溝４３ｂの下端に位置したときに、前記角度αが最大（所定値）に達する。
【００９０】
そして、更に、背フレーム８を徐々に倒していくと、案内部材４６が、第１案内溝４３ａと長穴状案内溝４５ｂ内を下側方向に徐々に移動することにより、ヘッドフレーム４５が背フレーム８に対して徐々に後方に倒れ、すなわち、前記角度αが徐々に小さくなり、図１７に示すように背フレーム８が倒伏した状態となる。
【００９１】
また、上記の動きとは反対に、背フレーム８を、図１７に示すように倒伏した状態から徐々に起していくと、案内部材４６が、移動部材４９により案内溝４３ｂ，４５ｂ内を徐々に下方から上方へ移動し、背フレーム８が起上がるほど、ヘッドフレーム４５は背フレーム８に対して徐々に起上がり、前記角度αが所定値となった後に、更に、背フレーム８を起すと、背フレーム８が起上がるほど、ヘッドフレーム４５は、背フレーム８に対して徐々に倒れる。
【００９２】
このように、本実施例３においても、前記実施例１，２と同様に、背フレーム８とスライドフレーム１５との上下軸方向における相対位置が変化することにより、ヘッドフレーム４５の前面の、背フレーム８の上下方向の軸（背の側枠８ａ，８ｂの軸）に対する角度αが変化する。また、前記実施例１と同様に、案内部材４６の案内溝４３，４５ｂにおける位置が変化することにより、ヘッドフレーム４５前面の、前記背フレーム８の上下方向の軸に対する角度αが変化する。
【００９３】
本実施例３においても、前記実施例１，２と同様の作用、効果を発揮することができる。
【００９４】
なお、本実施例３においては、背フレーム８の起倒に応じて、移動部材４８，４９により、案内溝４３，４５ｂ内を案内部材４６が移動するようにしたが、この移動部材４８，４９は、背フレームの起倒に応じて、案内部材４６を、案内溝４３，４５ｂ内の所定の位置に移動させるるものであれば、任意のものを用いることができ、例えば、移動部材４８，４９の一方をコイルスプリング等の付勢手段に置き換えても良い。
【実施例４】
【００９５】
図１８乃至図２０は、実施例４の一例を示す。
【００９６】
前記実施例１乃至３においては、スライドフレーム１５に対して背クッション材を取り付け、背クッション材をスライドフレーム１５と共に移動するようにしたが、本実施例４においては、背クッション材を背フレーム８に設け、背フレーム８の起倒に伴い、背クッション材は背フレーム８に対しては移動しないものの、前記実施例１乃至３と同様に、背フレーム８の傾斜角度βに応じて、ヘッドフレームの前面の、前記背の側枠の軸に対する角度αを変化させたものである。
【００９７】
前記実施例１乃至３においては、スライドフレーム１５の上端部にヘッドフレーム２２，３５、４５を、前後に回転可能に設けたが、本実施例４においては、背フレームの上端部にヘッドフレームを、左右（Ｃ−Ｄ）方向に水平に設けたヘッド軸を中心に、前後に回転可能に設けた点において異なる。しかし、本実施例４においても、前記実施例１乃至３と同様に、スライドフレームの背フレームに対する相対位置が変化することにより、ヘッドフレームの前面の、背フレームの上下方向の軸（背の側枠の軸）に対する角度αが変化し、前記実施例１乃至３と同様に、背フレームを、起立状態から徐々に後方に倒すに従い、ヘッドフレームが背フレームに対して徐々に起上がり、前記角度αが所定の角度となった後に、更に、背フレームを倒すと、背フレームを徐々に後方に倒すに従い、ヘッドフレームが背フレームに対して徐々に後方に倒れるようになっている。
【００９８】
図１８〜２０は、実施例４を前記実施例１に適用した例を示し、本実施例４を、図１８〜２０に基づいて説明する。
【００９９】
図１８〜２０に示すように、背フレーム８の上部にヘッドフレーム５１が、左右（Ｃ−Ｄ）方向に水平に設けたヘッド軸５１ｂを中心に、前後に回転可能に設けられている。該ヘッドフレーム５１は、左右に一対のヘッドカム５１ａ，５１ａを有し、該各ヘッドカム５１ａの内面には、内側にのみ開口する案内溝５２が設けられている。該案内溝５２は、図１８〜２０に示すように、ヘッドカム５１ａの下部から上部に向うほど後Ｂ側に傾斜する第１案内溝５２ａと、該第１案内溝５２ａの上部に円弧状に形成された円弧溝５２ｂと、該円弧溝５２ｂの上部にヘッドカム５１ａの下部から上部に直線状に設けた第２案内溝５２ｃとが連続する「く」字状に形成されている。また、図１８に示すように背フレーム８が起立した状態において、第２案内溝５２ｃの長手方向は、背の側枠８ａ，８ｂの軸方向に対して、その上側が前方に位置するように傾斜している。
【０１００】
前記背フレーム８には、背クッション材が固設され、表皮材は前記実施例１と同様に設けられている。
【０１０１】
前記背フレーム８の後部には、スライドフレーム５３が設けられている。該スライドフレーム５３における左右のスライド側枠の上部と下部の前Ａ側（背フレーム８側）には、図１８〜２０に示すように、前記実施例１乃至３と同様の連結部材２０，２０が固定部材により固設されている。また、連結部材２０は、背フレーム８の上下軸方向に摺動可能に遊嵌され、スライドフレーム５３が、前記実施例１乃至３と同様に、背フレーム８の軸方向に沿って摺動可能に備えられている。
【０１０２】
前記スライドフレーム５３は、左右に一対のスライド側枠５３ａ，５３ａを有し、該両スライド側枠５３ａ，５３ａの下端部には、図１８〜２０に示すように、リンク５４の一端部（下端部）が、左右（Ｃ−Ｄ）方向に水平に設けた回転軸５４ａを中心に、前後に回転可能に連結されている。前記リンク５４の他端部（上端部）は、椅子フレーム４の両側枠４ａ，４ｂの上部後Ｂ方の内面に、左右（Ｃ−Ｄ）方向に水平に設けた回転軸５４ｂを中心に、前後に回転可能に連結されている。前記椅子フレーム４との回転軸５４ｂは、前記スライドフレーム５３との回転軸５４ａよりも前部上方に位置するように設けられている。
【０１０３】
前記スライド側枠５３ａ，５３ａの下部から中間部までは、図１８〜２０に示すように、背の側枠８ａ，８ｂと略平行に形成され、スライド側枠５３ａ，５３ａの上部は、上方に向うほど前方に位置するように屈曲形成され、背フレーム８に対して傾斜するように形成されている。また、前記スライド側枠５３ａ，５３ａの上端部は、背の側枠８ａ，８ｂの軸延長線よりも前方に位置している。
【０１０４】
これにより、背フレーム８を支軸７を中心にして後方へ倒すと、リンク５４により、スライドフレーム５３は座２９（下側）方向に移動し、背フレーム８を、起こすとスライドフレーム５３は座２９と反対側（上側）方向に移動するようになっている。
【０１０５】
前記両スライド側枠５３ａ，５３ａの上端部には、案内部材５５が、スライド側枠５３ａ，５３ａの外面から左右（Ｃ−Ｄ）方向の外側に向かって突出して固設され、該案内部材５５は前記案内溝５２内に移動可能に遊嵌されている。案内部材５５は、図１８〜２０に示すように、背の側枠８ａ，８ｂの軸延長線よりも前方Ａに位置している。本実施例においては、前記案内部材５５としてピンを用いた。
【０１０６】
その他の構造、構成は、前記実施例１と同様であるので、その説明を省略する。
【０１０７】
次に、本第４実施例の椅子１の動きについて説明する。
【０１０８】
前記実施例１乃至３と同様に、椅子１の背フレーム８を、図１８に示すように起立した状態から徐々に後方に倒していくと、スライドフレーム５３が、図１９，２０に示すように、背の側枠８ａ，８ｂに沿って座２９（下側）方向へ移動する。また、背フレーム８を、図２０に示すように倒伏した状態から徐々に起していくと、スライドフレーム５３が、背の側枠８ａ，８ｂに沿って座２９と反対側（上側）方向へ移動する。
【０１０９】
背フレーム８を、図１８に示すように起立した状態から徐々に倒して、スライドフレーム５３が、背フレーム８に対して下側（座２９）方向に徐々に移動すると、案内部材５５は、図１８〜２０に示すように、背の側枠８ａ，８ｂの軸と平行に移動する。このとき、案内部材５５は、背の側枠８ａ，８ｂよりも前方Ａに位置し、第２案内溝５２ｃが背の側枠８ａ，８ｂの軸に対して傾斜していることにより、案内部材５５が、第２案内溝５２ｃ内を徐々に下方（座２９方向）に移動すると、ヘッドフレーム５１の前面の、前記背の側枠８ａ，８ｂの軸に対する角度αが徐々に大きくなり、ヘッドフレーム５１が、背フレーム８に対して、徐々に起上がる。
【０１１０】
そして、案内部材５５が、円弧溝５２ｂの中央に位置した時に、ヘッドフレーム５１の前面の、背フレーム８の上下方向の軸に対する角度αが、最大（所定値）となる。
【０１１１】
更に、背フレーム８を徐々に後方に倒していくと、案内部材５５が、上側から下側に向うほど前Ａ側に傾斜する第１案内溝５２ａ内を下方に向かって徐々に移動することにより、前記角度αが徐々に小さくなり、ヘッドフレーム５１が、背フレーム８に対して徐々に倒れ、図２０に示すように、背フレーム８が倒伏した状態となる。
【０１１２】
また、上記の動きとは反対に、背フレーム８を、図２０に示すように倒伏した状態から徐々に起していくと、背フレーム８が起上がるほど、ヘッドフレーム５１は背フレーム８に対して徐々に起上がり、前記角度αが所定値となった後に、更に、背フレーム８を起すと、背フレーム８が起上がるほど、ヘッドフレーム５１は、背フレーム８に対して徐々に倒れる。
【０１１３】
このように、本実施例４においても、前記実施例１乃至３と同様に、背フレーム８とスライドフレーム５３との上下軸方向における相対位置が変化することにより、ヘッドフレーム５１の前面の、背フレーム８の上下方向の軸に対する角度αが変化する。また、前記実施例１，３と同様に、案内部材５５の案内溝５２における位置が変化することにより、ヘッドフレーム５１の前面の、前記背フレーム８の上下方向の軸に対する角度αが変化する。
【０１１４】
本実施例４においても、ヘッドフレーム５１の動きに関しては、前記実施例１乃至３と同様の作用、効果を発揮することができる。
【実施例５】
【０１１５】
図２１乃至図２３は、実施例５の一例を示す。
【０１１６】
前記実施例１乃至４においては、スライド側枠１５ａ（１５ｂ），５３ａの下端部と、椅子フレーム４の両側枠４ａ（４ｂ）とを１本のリンク２７，５４で連結したが、本実施例５においては、スライド側枠１５ａ（１５ｂ），５３ａの軸方向中間部と、椅子フレーム４の両側枠４ａ（４ｂ）とを複数からなるリンク６１で連結し、背フレーム８を後方へ倒すほど、スライドフレーム１５が座２９方向に移動し、背フレーム８を起すほど、スライドフレーム１５が座２９と反対側方向に移動するようにしたものである。
【０１１７】
図２１〜２３は、実施例５を前記実施例１に適用した例を示し、図２１〜２３に基づいて説明する。
【０１１８】
スライド側枠１５ａ，１５ｂの軸方向中間部と、椅子フレーム４の両側枠４ａ，４ｂとをリンク６１で連結する。該リンク６１は、図２１〜２３に示すように、第１リンク６２と第２リンク６３と第３リンク６４の３つのリンクで構成されている。前記第１リンク６２の一端（上端）は、スライド側枠１５ａ，１５ｂの軸方向の中間部に、左右（Ｃ−Ｄ）方向に水平に設けた回転軸６２ａを中心として、前後に回転可能に連結され、第１リンク６２の他端（下端）は、第２リンク６３の一端（上端）に、左右（Ｃ−Ｄ）方向に水平に設けた回転軸６２ｂを中心として、前後に回転可能に連結されている。
【０１１９】
該第２リンク６３の軸方向の中間部他端側寄り部は、背の側枠８ａ，８ｂに、左右（Ｃ−Ｄ）方向に水平に設けた連結軸６３ａを中心として、前後に回転可能に連結されている。該連結軸６３ａは、支軸７の後部近傍に位置するように設けられている。前記第２リンク６３の他端（下端）は、第３リンク６４の一端（後端）に、左右（Ｃ−Ｄ）方向に水平に設けた回転軸６３ｂを中心として、前後に回転可能に連結されている。該第３リンク６４の他端（前端）は、椅子フレーム４の両側枠４ａ，４ｂの後部上方に、左右（Ｃ−Ｄ）方向に水平に設けた回転軸６４ａを中心として、前後（Ａ−Ｂ）方向に回転可能に連結されている。
【０１２０】
その他の構造、構成は、前記実施例１と同様であるので、その説明を省略する。
【０１２１】
次に、本第５実施例の椅子１の動きについて説明する。
【０１２２】
前記実施例１乃至４と同様に、背フレーム８を、図２１に示すように起立した状態から、支軸７を中心として後方に徐々に倒していくと、第２リンク６３が、図２１，２２に示すように、支軸７近傍の連結軸６３ａを中心として、その第３リンク６４側が上部後方に回動する。また、この第２リンク６３の回動により、第１リンク６２の他端回転軸６２ｂが下方向へ移動する。これにより、図２１〜２３に示すように、該第１リンク６２の一端側回転軸６２ａに連結されたスライド側枠１５ａ，１５ｂが、背の側枠８ａ，８ｂに沿って下側（座２９）方向へ移動する。
【０１２３】
また、上記と反対に、背フレーム８を、図２３に示す倒伏した状態から徐々に起すと、 前記と逆の動作により、スライドフレーム１５が、背の側枠８ａ，８ｂに沿って、座２９と反対側（上側）方向に移動する。
【０１２４】
また、スライドフレーム１５の移動に伴い、ヘッドフレーム２２も前記実施例１乃至４と同様の動きをする。
【０１２５】
本実施例５においても、前記実施例１乃至４と同様の作用、効果を発揮することができる。
【実施例６】
【０１２６】
図２４乃至図２６は、実施例６の一例を示す。
【０１２７】
前記実施例１乃至５においては、スライド側枠１５ａ（１５ｂ），５３ａの下端部と、椅子フレーム４の両側枠４ａ（４ｂ）とをリンク２７，５４，６１で連結したが、本実施例６においては、スライド側枠１５ａ，１５ｂの軸方向中間部と、座フレーム１０の座の側枠１０ａ，１０ｂとをリンク７１で連結し、背フレーム８を倒すほど、スライドフレーム１５が座２９方向に移動し、背フレーム８を起すほど、スライドフレーム１５が座２９と反対側方向に移動するようにしたものである。
【０１２８】
図２４〜２６は、実施例６を前記実施例１に適用した例を示し、図２４〜２６に基づいて説明する。
【０１２９】
前記リンク７１は、図２４〜２６に示すように、１本のリンクで形成されている。また、該リンク７１は、板状に形成され、その側面形状は弧状に形成されているとともに、その弧の中心側が前側Ａに位置するように設けられている。該リンク７１の一端（上端）は、スライド側枠１５ａ，１５ｂの軸方向の中間部に、左右（Ｃ−Ｄ）方向に水平に設けた回転軸７１ａを中心として、前後に回転可能に連結され、リンク７１の他端（下端）は、座の側枠１０ａ，１０ｂの中間部に、左右（Ｃ−Ｄ）方向に水平に設けた回転軸７１ｂを中心として、前後に回転可能に連結されている。
【０１３０】
なお、前記リンク７１は、前記のような形状以外にも、直線状等任意の形状とすることができる。また、リンク７１は、その一端は、スライド側枠１５ａ，１５ｂに回転可能に連結され、その他端は、座の側枠１０ａ，１０ｂに回転可能に連結されていればよく、夫々の連結場所は任意に設定する。
【０１３１】
その他の構造、構成は、前記実施例１と同様であるので、その説明を省略する。
【０１３２】
次に、本第６実施例の椅子１の動きについて説明する。
【０１３３】
前記実施例１乃至５と同様に、背フレーム８を、図２４に示すように起立した状態から、支軸７を中心として徐々に後方に倒していくと、図２５，２６に示すように、座フレーム１０が、座案内部材１１に沿って徐々に前部上方に移動する。これに伴い、座フレーム１０と連結した回転軸７１ｂが前方上部に移動し、リンク７１は、その両側回転軸７１ａ，７１ｂを中心として回動しつつ、この回転軸７１ａが下側（座２９）方向に移動する。それとともに、リンク７１の回転軸７１ａに連結されたスライドフレーム１５が、背の側枠８ａ，８ｂに沿って、座２９方向に移動する。
【０１３４】
また、上記と反対に、背フレーム８を、図２６に示すように倒伏した状態から徐々に起すと、スライドフレーム１５が、背の側枠８ａ，８ｂに沿って、座２９と反対側（上側）方向に移動する。
【０１３５】
また、スライドフレーム１５の移動に伴い、ヘッドフレーム２２も前記実施例１乃至５と同様の動きをする。
【０１３６】
本実施例６においても、前記実施例１乃至５と同様の作用、効果を発揮することができる。
【実施例７】
【０１３７】
前記実施例１乃至６においては、背フレーム８を、支軸７を中心にして回動させ、リンク２７，５４，６１，７１により、スライドフレーム１５，５３を、背フレーム８の起倒に応じて背フレーム８の軸方向に移動するようにしたが、支軸７をスライドフレーム１５，５３に設け、リンクにより背フレーム８を、スライドフレーム１５，５３が後方へ倒れるほど上方（座２９と反対側方向）に移動し、スライドフレーム１５，５３が起立するほど下方（座２９と反対側方向）に移動するようにしてもよい。
【０１３８】
椅子フレーム４に固定された支軸７を、スライドフレーム１５，５３の中間部に連結し、該支軸７を中心として、スライドフレーム１５，５３を前後に回転可能に設ける。また、スライドフレーム１５，５３と背フレーム８とは、前記実施例１乃至７と同様に、連結部材２０を介して連結されるとともに、背フレーム８は、スライド側枠１５ａ，５３ａの軸方向に沿って摺動可能に備える。
【０１３９】
そして、スライドフレーム１５，５３が、支軸７を中心として後方へ倒れるほど、リンクにより背フレーム８が、スライド側枠１５ａ，５３ａの軸方向に沿って上方（座２９と反対側方向）に移動し、それとともに座フレーム１０もスライドフレーム１５，５３の下端に対して後方に移動し、座フレーム１０の後端とスライドフレーム１５，５３の下端とが相対的に徐々に近づくようになっている。
【０１４０】
また、スライドフレーム１５，５３が、支軸７を中心として前方へ起き上がるほど、リンクにより背フレーム８は、スライド側枠１５ａ，５３ａの軸方向に沿って下方（座２９方向）に移動し、それとともに座フレーム１０もスライドフレーム１５，５３の下端に対して前方に移動し、座フレーム１０の後端とスライドフレーム１５，５３の下端とが相対的に徐々に遠ざかるようになっている。
【０１４１】
すなわち、背フレーム８が倒れるほど、スライドフレーム１５，５３は、背フレーム８に対して座２９方向に移動する。また、背フレーム８が起上がるほど、スライドフレーム１５，５３は、背フレーム８に対して座２９と反対側方向に移動するようになっている。
【０１４２】
その他の構造、構成は、前記実施例１乃至６と同様であるので、その説明を省略する。
【０１４３】
本実施例７においても、前記実施例１乃至６と同様の作用、効果を発揮することができる。
【実施例８】
【０１４４】
前記実施例１乃至７における、スライドフレーム１５，５３と、背フレーム８の前後の位置関係を、前記実施例１乃至７とは逆となるように設けてもよい。
【０１４５】
その他の構造、構成は、前記実施例１乃至７と同等であるので、その説明を省略する。
【０１４６】
本実施例８においても、前記実施例１乃至７と同様の作用、効果を発揮することができる。
【実施例９】
【０１４７】
図２７乃至図２９は、実施例９を示す。
【０１４８】
前記実施例１乃至８においては、スライドフレーム１５，５３を設け、該スライドフレーム１５，５３を、背の側枠８ａ，８ｂの軸方向に移動させることにより、ヘッドフレーム２２，３５，４５，５１の前面の、前記背の側枠８ａ，８ｂの軸に対する角度αを変化させたが、本実施例９は、スライドフレームを設けることなく、背フレーム８１を起倒することにより、前記背フレームの８１の傾斜角度βに応じて、ヘッドフレーム８２の前面の、前記背の側枠８１ａ，８１ａの軸に対する角度αを変化させるようにした実施例である。
【０１４９】
背フレーム８１は、左右に一対の背の側枠８１ａ，８１ａを有し、該背の側枠８１ａの上部に固定ヘッド部材８４が固設されている。
【０１５０】
前記固定ヘッド部材８４は、板状に形成され、その表裏を貫通する円弧状案内溝８４ａ
が形成されている。該円弧状案内溝８４ａは、図２７〜２９に示すように、円弧状に形成され、弧の中心が後方Ｂに位置するように形成されている。
【０１５１】
ヘッドフレーム８２は、一対のヘッドカム８２ａ，８２ａを有し、該各ヘッドカム８２ａは、前記各固定ヘッド部材８４の下部外側に、左右（Ｃ−Ｄ）方向に水平に設けたヘッド軸８２ｄを中心として、前後に回転可能に設けられている。各ヘッドカム８２ａには、長穴状案内溝８２ｂが、その長手方向の一端を、ヘッドカム８２ａの下部に、他端をヘッドカム８２ａの中央上部寄りに位置さえて直線状に設けられている。
【０１５２】
図２７〜２９に示すように、案内部材８３が、前記長穴状案内溝８２ｂと円弧状案内溝８４ａの双方に貫通するとともに遊嵌して設けられ、該案内部材８３は、長穴状案内溝８２ｂと円弧状案内溝８４ａとの双方に沿って移動可能となっている。前記案内部材８３における案内溝８２ｂ，８４ａとの係止部を、本実施例においてはピン形状に形成した。  
【０１５３】
この長穴状案内溝８２ｂと円弧状案内溝８４ａとの形状が前記にように形成されているため、案内部材８３ａが、両案内溝８２ｂ，８４ａ内を上下方向に移動すると、前記案内部材８３の位置の変化に伴い、ヘッドフレーム８２の前面の、前記背の側枠８１ａ，８１ａの軸に対する角度αが変化する。すなわち、案内部材８３が、案内溝８２ｂ，８４ａを、その最下端の位置から徐々に上方に移動するほど、ヘッドフレーム８２が背フレーム８１に対して徐々に起上がり、すなわち前記角度αが徐々に大きくなり、角度αが最大（所定値）に達した後は、案内部材８３が徐々に上方に移動するほど、ヘッドフレーム８２が背フレーム８１に対して徐々に倒れ、すなわち、前記角度αが徐々に小さくなるようになっている。
【０１５４】
図２７〜２９に示すように、第１連結リンク８７ａの一端（後端）が、背フレーム８１の下部に、左右（Ｃ−Ｄ）方向に水平に設けた回転軸８７ｃを中心として、前後に回動可能に連結されている。また、第１連結リンク８７ａの他端（前端）が、第２連結リンク８７ｂの一端（上端）に、左右（Ｃ−Ｄ）方向に水平に設けた回転軸８７ｄを中心として、前後に回動可能に連結されている。前記第２連結リンク８７ｂの他端（下端）は、座の側枠１０ａ，１０ｂに、左右（Ｃ−Ｄ）方向に水平に設けた回転軸８７ｅを中心として、前後に回動可能に連結されている。
【０１５５】
前記各ヘッドカム８２ａの上部には、その内側面から左右（Ｃ−Ｄ）方向の内側に突出するピン８２ｃが設けられている。前記案内部材８３とピン８２ｃ間には、付勢部材８５が架設されており、該付勢部材８５により、案内部材８３は、常にピン８２ｃ（上側）方向に付勢されている。前記付勢部材８５は、案内部材８３をピン８２ｃ方向に付勢できるものであれば任意のものを使用することができ、本実施例においてはコイルスプリングを使用した。
【０１５６】
ひも状で任意の場所で湾曲可能な金属製ワイヤ、ビニールロープ等で形成され、かつ、案内部材８３を移動させる移動部材８６は、その一端が前記第１連結リンク８７ａと第２連結リンク８７ｂとの連結回転軸８７ｄに対して固定され、その中間部を、背座連結軸１０ｆの外側に摺動可能に引掛けて折り返し、他端を案内部材８３に固定した状態で、前記連結回転軸８７ｄと案内部材８３間に弛まないようにして設けられている。本実施例においては、第１移動部材８６として、金属製のワイヤを使用した。
【０１５７】
その他の構造、構成は、前記実施例１乃至８と同様であるので、その説明を省略する。
【０１５８】
次に、本第９実施例の椅子１の動きについて説明する。
【０１５９】
背フレーム８１を、図２７に示すように起立した状態から徐々に後方へ倒していくと、回転軸８７ｄと、背座連結軸１０ｆとの距離Ｌ２が徐々に短くなる。これにより、図２８に示すように、案内部材８３が、付勢部材８５により案内溝８２ｂ，８４ａ内を上方向に移動し、ヘッドフレーム８２が背フレーム８１に対して徐々に起上がり、すなわち、ヘッドフレーム８２の前面の、前記背の側枠８１ａの軸に対する角度αが徐々に大きくなっていく。そして、前記角度αが最大（所定値）に達する。
【０１６０】
そして、更に、背フレーム８１を徐々に後方へ倒していくと、その案内部材８３が徐々に案内溝８２ｂ，８４ａ内を上方に移動し、ヘッドフレーム８２が背フレーム８１に対して後方に徐々に倒れ、すなわち、前記角度αが徐々に小さくなり、図２９に示すように背フレーム８１が倒伏した状態となる。
【０１６１】
また、上記の動きとは反対に、背フレーム８１を、図２９に示すように倒伏した状態から徐々に起していくと、背フレーム８１が起上がるほど、ヘッドフレーム８２は背フレーム８１に対して徐々に起上がり、前記角度αが所定値となった後に、更に、背フレーム８１を起すと、背フレーム８１が起上がるほど、ヘッドフレーム８２は、背フレーム８１に対して徐々に倒れる。
【０１６２】
このように、本実施例９においても、前記実施例１，３乃至６と同様に、案内部材８３の案内溝８２ｂ，８４ａにおける位置が変化することにより、ヘッドフレーム８２の前面の、前記背フレーム８１の上下方向の軸に対する角度αが変化する。
【０１６３】
また、本実施例９においても、前記実施例１乃至８と同様のヘッドフレーム８２の動きをし、ヘッドフレーム８２の動きに関しては、前記実施例１乃至８と同様の作用、効果を発揮することができる。
【符号の説明】
【０１６４】
１  椅子
７  支軸
８，８１  背フレーム
１４，４６，５５，８３  案内部材
１５，５３  スライドフレーム
２２，３５，４５，５１，８２  ヘッドフレーム
２３，４３，４５ｂ，５２，８２ｂ，８４ａ  案内溝
α  ヘッドフレームの、背フレームの上下方向の軸に対する角度
β  水平面に対する背フレームの傾斜角度
【図１】
0005634891.tif 000002
【図２】
0005634891.tif 000003
【図３】
0005634891.tif 000004
【図４】
0005634891.tif 000005
【図５】
0005634891.tif 000006
【図６】
0005634891.tif 000007
【図７】
0005634891.tif 000008
【図８】
0005634891.tif 000009
【図９】
0005634891.tif 000010
【図１０】
0005634891.tif 000011
【図１１】
0005634891.tif 000012
【図１２】
0005634891.tif 000013
【図１３】
0005634891.tif 000014
【図１４】
0005634891.tif 000015
【図１５】
0005634891.tif 000016
【図１６】
0005634891.tif 000017
【図１７】
0005634891.tif 000018
【図１８】
0005634891.tif 000019
【図１９】
0005634891.tif 000020
【図２０】
0005634891.tif 000021
【図２１】
0005634891.tif 000022
【図２２】
0005634891.tif 000023
【図２３】
0005634891.tif 000024
【図２４】
0005634891.tif 000025
【図２５】
0005634891.tif 000026
【図２６】
0005634891.tif 000027
【図２７】
0005634891.tif 000028
【図２８】
0005634891.tif 000029
【図２９】
0005634891.tif 000030